(57)【要約】  【課題】異なる仕様に対して貸出装置本体21の本体フレーム25および枠体22を共通化できる遊技媒体貸出装置13を提供する。  【解決手段】貸出装置本体21の本体フレーム25を異なる仕様に共通の外形寸法に設ける。本体フレーム25の異なる仕様に共通の位置に、紙幣識別部36、硬貨識別部37、通信用コネクタ52、電源用コネクタ53を配置する。紙幣識別部36、硬貨識別部37、通信用コネクタ52、電源用コネクタ53の位置に対応して、枠体22に紙幣搬送ガイド66、硬貨ガイド67、通信用コネクタ72、電源用コネクタ73を配置する。異なる仕様の貸出装置本体21でも、本体フレーム25を枠体22に装着できる。異なる仕様に対して貸出装置本体21の本体フレーム25および枠体22を共通化できる。  【選択図】図１
2006296846.tif 000002
【特許請求の範囲】
【請求項１】
各遊技機の間に設置され、貨幣または有価価値の特定可能な情報が記録された記録媒体を挿入することで遊技媒体の貸し出しを行う遊技媒体貸出装置において、
異なる仕様に共通の外形寸法に設けられた本体フレームと、
前記本体フレーム内に仕様毎に対応して配置される複数種類の機器と、
前記本体フレームの外側の異なる仕様に共通の位置に配置される機器に接続された本体側接続部と
を有する貸出装置本体と、
前記貸出装置本体が嵌め込み可能とするとともに嵌め込み状態で着脱が可能に保持し、嵌め込み時に前記本体側接続部が接続される枠体側接続部を有する枠体と
を具備していることを特徴とする遊技媒体貸出装置。
【請求項２】
前記貸出装置本体の前記本体側接続部には、遊技機と通信する機器としての制御部が接続され、
前記枠体の枠体側接続部には、遊技機と接続されてこの遊技機と前記制御部とを通信させる通信部が接続された
ことを特徴とする請求項１記載の遊技媒体貸出装置。
【請求項３】
前記本体フレームには、異なる仕様に共通に用いられる機器として貨幣識別部が前記本体フレーム内の共通の位置に配置され、
前記枠体には、前記本体フレームに配置された前記貨幣識別部から識別後に取り込まれる貨幣を受け入れる貨幣受入部が枠体の共通の位置に配置された
ことを特徴とする請求項１または２記載の遊技媒体貸出装置。
【請求項４】
前記本体フレームには、外部から供給される遊技媒体を受け入れる遊技媒体受入口が前記本体フレームの共通の位置に設けられ、
前記枠体には、外部から供給される遊技媒体を受け入れて前記本体フレームの遊技媒体受入口にガイドするガイド体が着脱可能に取り付けられるガイド体取付部が設けられている
ことを特徴とする請求項１ないし３いずれか記載の遊技媒体貸出装置。
【発明の詳細な説明】
【技術分野】
【０００１】
本発明は、遊技媒体を貸し出す遊技媒体貸出装置に関する。
【背景技術】
【０００２】
従来、遊技店に設置された遊技島には、例えばパチンコ機やパチスロ機などの複数の遊技機が並設されるとともに、各遊技機の側部に遊技媒体を貸し出すための台間機と呼ばれる遊技媒体貸出装置が設置されている。遊技機は、遊技媒体の貸し出しを別途必要とする現金機と遊技媒体貸出装置能を有するＣＲ機との２種類に大別されている。遊技媒体貸出装置は、遊技機の現金機とＣＲ機とに対応して２種類の仕様に大別されている。すなわち、遊技媒体貸出装置は、遊技機が現金機の場合に、遊技者による現金の投入を受け付けて、内蔵した遊技媒体投出部から遊技媒体を投出して貸し出す仕様と、遊技機がＣＲ機の場合に、そのＣＲ機と通信可能に接続され、遊技者による現金、プリペイドカードなどの投入を受け付けて、ＣＲ機に遊技媒体の貸し出しを指令し、ＣＲ機から遊技媒体を貸し出す仕様とがある。
【０００３】
また、遊技媒体貸出装置は、貸出装置本体と枠体とを備え、枠体を遊技島に設置し、この枠体に対して貸出装置本体を嵌め込んで取り付けるように構成されており、メンテナンスなどの際には枠体から貸出装置本体を引き出して作業できるように構成されている。
【０００４】
ところで、遊技機を現金機からＣＲ機に入れ換える場合や、遊技媒体貸出装置をＣＲ機に対応した仕様から遊技媒体を投出して貸し出す仕様に入れ換える場合がある。なお、遊技媒体貸出装置をＣＲ機に対応した仕様から遊技媒体を投出して貸し出す仕様に入れ換える場合とは、例えば、今後、消費税が増加した場合、同じ投入金額に対して遊技媒体の貸し出す数を少なくして調整することになるが、ＣＲ機からの遊技媒体の貸出数は決まっており、これを変更する場合には所定の機関に審査を受ける必要があってその審査が通るまでは稼働できないので、遊技機はＣＲ機のまま、遊技媒体貸出装置を遊技媒体を投出して貸し出す仕様に入れ換え、遊技媒体を貸し出す数を調整することが考えられる。
【０００５】
しかし、異なる仕様の遊技媒体貸出装置は、各仕様毎に貸出装置本体内に配置される各種の機器のレイアウト構成や、貸出装置本体の外形寸法などが異なっているため、遊技媒体貸出装置の仕様を変更する場合には、遊技媒体貸出装置を入れ換えるとともに、枠体についても同時に入れ換える必要があった。
【０００６】
また、貸出装置本体の下部側には異なる仕様に共通の機器を配置するとともに上部側には仕様毎に異なる機器を配置し、枠体は上下に２分割した構成とすることにより、枠体の下部側は異なる仕様に共通とし、遊技媒体貸出装置の仕様を変更する場合には枠体の上部側だけを交換すればよくしている（例えば、特許文献１参照。）。
【特許文献１】特開２００２−２００３２７号公報（第３−４頁、図１−７）
【発明の開示】
【発明が解決しようとする課題】
【０００７】
しかしながら、遊技媒体貸出装置の仕様を変更する場合、枠体の下部側は異なる仕様に共通に使用できるものの、枠体の上部側は異なる仕様に共通に使用できず交換する必要がある。また、貸出装置本体の枠体に取り付けるフレーム構造などについても、異なる仕様毎に外形寸法が異なり、共通化できない。これらにより、遊技店側の費用負担の増加、設置工事時間の増加、共通化できないことに伴う製品の価格アップなどの問題がある。
【０００８】
本発明は、このような点に鑑みなされたもので、異なる仕様に対して貸出装置本体の本体フレームおよび枠体を共通化できる遊技媒体貸出装置を提供することを目的とする。
【課題を解決するための手段】
【０００９】
請求項１記載の遊技媒体貸出装置は、各遊技機の間に設置され、貨幣または有価価値の特定可能な情報が記録された記録媒体を挿入することで遊技媒体の貸し出しを行う遊技媒体貸出装置において、異なる仕様に共通の外形寸法に設けられた本体フレームと、前記本体フレーム内に仕様毎に対応して配置される複数種類の機器と、前記本体フレームの外側の異なる仕様に共通の位置に配置される機器に接続された本体側接続部とを有する貸出装置本体と、前記貸出装置本体が嵌め込み可能とするとともに嵌め込み状態で着脱が可能に保持し、嵌め込み時に前記本体側接続部が接続される枠体側接続部を有する枠体とを具備しているものである。
【００１０】
そして、貸出装置本体の本体フレームを異なる仕様に共通の外形寸法に設け、この本体フレームの外側の異なる仕様に共通の位置に機器と接続された本体側接続部を配置したことにより、異なる仕様の貸出装置本体でも、本体フレームを枠体に嵌め込めるとともに、嵌め込み時に本体側接続部を枠体側接続部に接続される。したがって、異なる仕様に対して貸出装置本体の本体フレームおよび枠体の共通化が可能となり、仕様変更に伴う貸出装置本体の入れ換え時にも枠体の入れ換えの必要ない。
【００１１】
請求項２記載の遊技媒体貸出装置は、請求項１記載の遊技媒体貸出装置において、前記貸出装置本体の前記本体側接続部には、遊技機と通信する機器としての制御部が接続され、前記枠体の枠体側接続部には、遊技機と接続されてこの遊技機と前記制御部とを通信させる通信部が接続されたものである。
【００１２】
そして、貸出装置本体の本体側接続部と枠体の枠体側接続部との接続により、枠体の通信部を通じて貸出装置本体の制御部と遊技機とで通信可能となる。
【００１３】
請求項３記載の遊技媒体貸出装置は、請求項１または２記載の遊技媒体貸出装置において、前記本体フレームには、異なる仕様に共通に用いられる機器として貨幣識別部が前記本体フレーム内の共通の位置に配置され、前記枠体には、前記本体フレームに配置された前記貨幣識別部から識別後に取り込まれる貨幣を受け入れる貨幣受入部が枠体の共通の位置に配置されたものである。
【００１４】
そして、貨幣識別部を本体フレーム内の共通の位置に配置し、本体フレームに配置された貨幣識別部から識別後に取り込まれる貨幣を受け入れる貨幣受入部を枠体の共通の位置に配置したことにより、貸出装置本体の本体フレームおよび枠体の共通化が可能となる。
【００１５】
請求項４記載の遊技媒体貸出装置は、請求項１ないし３いずれか記載の遊技媒体貸出装置において、前記本体フレームには、外部から供給される遊技媒体を受け入れる遊技媒体受入口が前記本体フレームの共通の位置に設けられ、前記枠体には、外部から供給される遊技媒体を受け入れて前記本体フレームの遊技媒体受入口にガイドするガイド体が着脱可能に取り付けられるガイド体取付部が設けられているものである。
【００１６】
そして、外部から供給される遊技媒体を受け入れる遊技媒体受入口を本体フレームの共通の位置に設け、外部から供給される遊技媒体を受け入れて本体フレームの遊技媒体受入口にガイドするガイド体を枠体に着脱可能に取り付けることにより、貸出装置本体の本体フレームおよび枠体の共通化が可能となる。
【発明の効果】
【００１７】
請求項１記載の遊技媒体貸出装置によれば、貸出装置本体の本体フレームを異なる仕様に共通の外形寸法に設け、この本体フレームの外側の異なる仕様に共通の位置に機器と接続された本体側接続部を配置したことにより、異なる仕様の貸出装置本体でも、本体フレームを枠体に嵌め込むことができるとともに、嵌め込み時に本体側接続部を枠体側接続部に接続でき、したがって、異なる仕様に対して貸出装置本体の本体フレームおよび枠体を共通化でき、仕様変更に伴う貸出装置本体の入れ換え時にも枠体の入れ換えが必要なく、遊技店側の費用負担の減少、設置工事時間の削減、共通化に伴う製品価格の低減などを図ることができる。
【００１８】
請求項２記載の遊技媒体貸出装置によれば、請求項１記載の遊技媒体貸出装置の効果に加えて、貸出装置本体の本体側接続部と枠体の枠体側接続部との接続により、枠体の通信部を通じて貸出装置本体の制御部と遊技機とで通信できる。
【００１９】
請求項３記載の遊技媒体貸出装置によれば、請求項１または２記載の遊技媒体貸出装置の効果に加えて、貨幣識別部を本体フレーム内の共通の位置に配置し、本体フレームに配置された貨幣識別部から識別後に取り込まれる貨幣を受け入れる貨幣受入部を枠体の共通の位置に配置したことにより、貸出装置本体の本体フレームおよび枠体を共通化できる。
【００２０】
請求項４記載の遊技媒体貸出装置によれば、請求項１ないし３いずれか記載の遊技媒体貸出装置の効果に加えて、外部から供給される遊技媒体を受け入れる遊技媒体受入口を本体フレームの共通の位置に設け、外部から供給される遊技媒体を受け入れて本体フレームの遊技媒体受入口にガイドするガイド体を枠体に着脱可能に取り付けることにより、貸出装置本体の本体フレームおよび枠体を共通化できる。
【発明を実施するための最良の形態】
【００２１】
以下、本発明の一実施の形態を図面を参照して説明する。
【００２２】
図６に示すように、遊技店の遊技島11に、例えばパチンコ機やパチスロ機などの遊技機12が複数並設されるとともに、各遊技機12の側部に例えばパチンコ玉やメダルなどの遊技媒体の貸し出しを制御する台間機である遊技媒体貸出装置13が配設されている。なお、この実施の形態では、遊技機がパチンコ機で、遊技媒体がパチンコ玉の場合を例にして説明する。
【００２３】
遊技機12は、パチンコ玉の貸し出しを別途必要とする現金機と、遊技中の当たり発生時にパチンコ玉を払い出す機能とともにパチンコ玉を貸し出す遊技媒体貸出機能を有するＣＲ機とがある。
【００２４】
図１ないし図３に示すように、遊技媒体貸出装置13は、貸出装置本体21と、遊技島11の遊技機12の台間に設置されて貸出装置本体21が着脱可能に装着される枠体22とを備えている。貸出装置本体21には、遊技機12が現金機（ＣＲ機でも可能）の場合に対応した玉貸機21aの仕様（遊技機がＣＲ機であれば、インターフェース接続を行う）と、遊技機12がＣＲ機の場合に対応したＣＲユニット21bの仕様とがある。
【００２５】
貸出装置本体21は、玉貸機21aおよびＣＲユニット21bの仕様に共通な形状および寸法に形成された本体フレーム25を備えている。この本体フレーム25の前面には、上から順に上側前面部26、中央前面部27、下側前面部28がそれぞれ開閉可能または着脱可能に配置されている。上側前面部26には、状態表示ランプ29、貨幣としての紙幣を投入する紙幣挿入口30および硬貨を投入する硬貨投入口31がそれぞれ設けられている。中央前面部27は、仕様が玉貸機21aの場合、本体フレーム25内から投出されるパチンコ玉を遊技機12に供給するためのノズル32、硬貨を返却する硬貨返却口33がそれぞれ設けられ、また、ＣＲユニット21bの場合、硬貨返却口33のみが設けられている。
【００２６】
また、貸出装置本体21の玉貸機21aおよびＣＲユニット21bの仕様に共通に用いられる機器として、貨幣識別部としての紙幣識別部36および硬貨識別部（コインメック）37と、制御部38と、電源部39となどがある。上側前面部26の内側に位置する本体フレーム25内の上部位置に紙幣識別部36が配置され、中央前面部27の内側に位置する本体フレーム25内の中央位置に硬貨識別部37が配置され、下側前面部28の内側に位置する本体フレーム25内の下部位置に制御部38および電源部39が配置されており、それぞれ貸出装置本体21の玉貸機21aおよびＣＲユニット21bの仕様に共通の位置に配置されている。
【００２７】
紙幣識別部36は、紙幣挿入口30から挿入された紙幣を取り込んで識別し、取扱い対象でかつ正規の紙幣を後方の遊技島11の内部へ向けて搬送し、また、取扱い対象外または識別不能な紙幣は紙幣挿入口30に返却する。
【００２８】
硬貨識別部37は、硬貨投入口31に投入された硬貨を硬貨受入通路部42を通じて受け入れて識別し、取扱い対象でかつ正規の硬貨は硬貨送出通路部43を通じて後方の遊技島11の内部へ向けて搬送し、また、取扱い対象外または識別不能な硬貨は硬貨返却通路部44を通じて硬貨返却口33に返却する。
【００２９】
制御部38は、遊技媒体貸出装置13の各機器を制御する機能、遊技機12と通信してパチンコ玉を貸し出させる機能などを有している。
【００３０】
電源部39は、遊技媒体貸出装置13の各機器に電源を供給する。
【００３１】
また、貸出装置本体21の玉貸機21aの仕様のみに用いられる機器として、遊技媒体投出部としての玉計数部46などがある。玉計数部46は、本体フレーム25の上部に設けられた遊技媒体受入口としての玉受入口47に供給されるパチンコ玉を玉受入通路部48を通じて受け入れ、パチンコ玉の貸出時に、パチンコ玉を計数しながら投入金額に応じた個数のパチンコ玉を投出し、投出したパチンコ玉は玉払出通路部49を通じてノズル32に払い出す。
【００３２】
また、本体フレーム25の枠体22に嵌め込み装着する装着方向（嵌め込み方向）の面つまり背面には、制御部38の背部位置にこの制御部38に接続された本体側接続部としての通信用コネクタ52が配置され、硬貨識別部37の背部位置に電源部39に接続された本体側接続部としての電源用コネクタ53が配置されており、それぞれ貸出装置本体21の玉貸機21aおよびＣＲユニット21bの仕様に共通の位置に配置されている。
【００３３】
次に、枠体22は、本体フレーム25の背部が嵌め込まれる枠基部61およびこの枠基部61の上下で本体フレーム25の上下部が嵌め込まれる上側枠部62および下側枠部63を有する略コ字形の枠状に形成されている。これら枠基部61、上側枠部62および下側枠部63は、本体フレーム25を嵌め込み可能に断面略コ字形に形成されている。
【００３４】
枠基部61には、本体フレーム25の紙幣識別部36に対応した位置に紙幣識別部36から搬送されてくる紙幣を受け入れる貨幣受入部としての紙幣搬送ガイド66が配置され、本体フレーム25の硬貨識別部37の硬貨送出通路部43に対応した位置に硬貨送出通路部43から送り込まれる硬貨を受け入れる貨幣受入部としての硬貨ガイド67が配置されている。紙幣搬送ガイド66は、紙幣識別部36から搬送されてくる紙幣を受け入れて、遊技島11に沿って配設されている紙幣搬送装置68に受け渡す。硬貨ガイド67は、硬貨送出通路部43を通じて送り込まれる硬貨を受け入れて、遊技島11に沿って配設されている硬貨搬送装置69に受け渡す。これら紙幣搬送装置68および硬貨搬送装置69は、遊技島11の端部に紙幣および硬貨を搬送して回収する。
【００３５】
枠基部61には、本体フレーム25の通信用コネクタ52に対応した位置に通信用コネクタ52と接続される枠体側接続部としての通信用コネクタ72が配置され、本体フレーム25の電源用コネクタ53に対応した位置に電源用コネクタ53と接続される枠体側接続部としての電源用コネクタ73が配置されている。通信用コネクタ72は、遊技機12に接続されてこの遊技機12と貸出装置本体21の制御部38とで通信を許容するインターフェース用の通信部74の基板に接続されている。電源用コネクタ73は、遊技島11から電源供給される。通信部74は貸出装置本体の故障時にデータを保持する機能も持っている。
【００３６】
上側枠部62には、本体フレーム25の玉受入口47に対応する位置に、遊技島11側から供給されるパチンコ玉を受け入れて本体フレーム25の玉受入口47にガイドするガイド体77が着脱可能に取り付けられるガイド体取付部78が設けられている。
【００３７】
図４および図５に示すように、ガイド体77は、遊技島11側からパチンコ玉を供給する図示しない玉供給管などを保持する保持部79、この保持部79を上側枠部62に固定する固定部80を備えている。さらに、玉供給管の出口部分を開閉するシャッタ81を備え、枠体22に貸出装置本体21を装着した状態でシャッタ81を開放し、枠体22から貸出装置本体21を外すことによりばね82の付勢によりシャッタ81を閉じてパチンコ玉がこぼれ出るのを防止する。
【００３８】
次に、遊技媒体貸出装置13の作用を説明する。
【００３９】
まず、例えば遊技機12が現金機の場合に、図２に示すように、貸出装置本体21として玉貸機21aの仕様を設置する場合について説明する。
【００４０】
遊技島11の遊技機12の台間に枠体22を設置し、電源用コネクタ73を電源側に接続する。このとき、枠体22にはガイド体77を取り付け、このガイド体77に玉供給管を連結する。
【００４１】
玉貸機21aの本体フレーム25の背部側を枠体22の前面側から嵌め込んで装着する。この嵌め込み時には、玉貸機21aの通信用コネクタ52および電源用コネクタ53が枠体22の通信用コネクタ72および電源用コネクタ73に接続される。玉貸機21aの本体フレーム25と枠体22とを組み合わせた状態では、紙幣識別部36と紙幣搬送ガイド66との位置、硬貨識別部37の硬貨送出通路部43と硬貨ガイド67との位置、玉受入口47とガイド体77との位置がそれぞれ一致する。
【００４２】
そして、遊技者が紙幣または硬貨を投入し、紙幣識別部36または硬貨識別部37によって取扱い対象でかつ正規であると識別すれば、玉計数部46によって金額に応じた貸出数のパチンコ玉を払い出し、ノズル32を通じて遊技機12に供給する。
【００４３】
紙幣は、玉貸機21aの紙幣識別部36から枠体22の紙幣搬送ガイド66を通じて遊技島11の紙幣搬送装置68に搬送して回収する。また、硬貨は、玉貸機21aの硬貨識別部37の硬貨送出通路部43から枠体22の硬貨ガイド67を通じて遊技島11の紙幣搬送装置68に送り込んで回収する。
【００４４】
また、遊技機12が現金機からＣＲ機に入れ換えになった場合でも、遊技媒体の貸し出しが玉貸機からでもよいなら、通信部とＣＲ機とを通信可能に接続するだけでよい。
【００４５】
一方、遊技媒体を遊技台から貸し出す必要がある場合には、図３に示すように、貸出装置本体21としてＣＲユニット21bの仕様を用いる。
【００４６】
玉貸機21aを枠体22から抜き外す。枠体22は設置状態のまま、枠体22の通信部74とＣＲ機とを通信可能に接続する。
【００４７】
ＣＲユニット21bの本体フレーム25の背部側を枠体22の前面側から嵌め込んで装着する。この嵌め込み時には、玉貸機21aの通信用コネクタ52および電源用コネクタ53が枠体22の通信用コネクタ72および電源用コネクタ73に接続される。ＣＲユニット21bの本体フレーム25と枠体22とを組み合わせた状態では、紙幣識別部36と紙幣搬送ガイド66との位置、硬貨識別部37の硬貨送出通路部43と硬貨ガイド67との位置がそれぞれ一致する。
【００４８】
そして、遊技者が紙幣または硬貨を投入し、紙幣識別部36または硬貨識別部37によって取扱い対象でかつ正規であると識別すれば、制御部38から金額データをＣＲ機に送信し、ＣＲ機から金額に応じた貸出数のパチンコ玉を払い出す。
【００４９】
紙幣は、玉貸機21aの紙幣識別部36から枠体の紙幣搬送ガイドを通じて遊技島11の紙幣搬送装置68に搬送して回収する。また、硬貨は、玉貸機21aの硬貨識別部37の硬貨送出通路部43から枠体22の硬貨ガイド67を通じて遊技島11の紙幣搬送装置68に送り込んで回収する。
【００５０】
また、例えば消費税の増加対応として貸出玉数を自在に調整できるようにするために、遊技機12はＣＲ機のまま、遊技媒体貸出装置13をＣＲユニット21bから玉貸機21aに入れ換える場合には、ＣＲユニット21bを枠体22から抜き外し、枠体22は設置状態のままでおいておく（通信部74とＣＲ機は接続したままにしておく）。枠体22にガイド体77が取り付けられていなければ、ガイド体77を取り付けて玉供給管を連結する。上述したように、玉貸機21aの本体フレーム25の背部側を枠体22の前面側から嵌め込んで装着する。
【００５１】
このように、貸出装置本体21の本体フレーム25を異なる仕様に共通の外形寸法に設けたこと、本体フレーム25の異なる仕様に共通の位置に、紙幣識別部36、硬貨識別部37、玉受入口47、通信用コネクタ52および電源用コネクタ53などを配置したことにより、異なる仕様の貸出装置本体21でも、本体フレーム25を枠体22に嵌め込むことができ、本体フレーム25の紙幣識別部36および硬貨識別部37と枠体22の紙幣搬送ガイド66および硬貨ガイド67との位置を位置合わせすることができ、本体フレーム25の通信用コネクタ52および電源用コネクタ53を枠体22の通信用コネクタ72および電源用コネクタ73に接続でき、遊技島11から供給されるパチンコ玉をガイド体77で本体フレーム25の玉受入口47にガイドできる。
【００５２】
したがって、異なる仕様に対して貸出装置本体21の本体フレーム25および枠体22を共通化でき、仕様変更に伴う貸出装置本体21の入れ換え時にも枠体22の入れ換えが必要なく、遊技店側の費用負担の減少、設置工事時間の削減、共通化に伴う製品価格の低減などを図ることができる。
【００５３】
なお、貸出装置本体21には、貨幣価値を有するカードを処理するカードリーダライタを用いてもよい。
【００５４】
また、紙幣識別部としては、紙幣や硬貨を遊技島11に搬送するタイプのほか、紙幣や硬貨を内部に収納するタイプでもよい。
【００５５】
また、遊技媒体貸出装置13で貸し出し制御する遊技媒体としては、パチンコ機に対応したパチンコ玉に限らず、パチスロ機に対応したメダルでもよい。
【図面の簡単な説明】
【００５６】
【図１】本発明の一実施の形態を示す遊技媒体貸出装置の仕様の異なる貸出装置本体と枠体との斜視図である。
【図２】同上遊技媒体貸出装置の遊技媒体貸出仕様の貸出装置本体と枠体との位置関係を示す側面図である。
【図３】同上遊技媒体貸出装置のＣＲ機対応仕様の貸出装置本体と枠体との位置関係を示す側面図である。
【図４】同上遊技媒体貸出装置のガイド体の斜視図である。
【図５】同上遊技媒体貸出装置のガイド体の平面図である。
【図６】同上遊技媒体貸出装置を設置した遊技島の平面図である。
【符号の説明】
【００５７】
12    遊技機
13    遊技媒体貸出装置
21    貸出装置本体
22    枠体
25    本体フレーム
36    貨幣識別部としての紙幣識別部
37    貨幣識別部としての硬貨識別部
38    制御部
47    遊技媒体受入口としての玉受入口
52    本体側接続部としての通信用コネクタ
53    本体側接続部としての電源用コネクタ
66    貨幣受入部としての紙幣搬送ガイド
67    貨幣受入部としての硬貨ガイド
72    枠体側接続部としての通信用コネクタ
73    枠体側接続部としての電源用コネクタ
74    通信部
77    ガイド体
78    ガイド体取付部
【図１】
2006296846.tif 000003
【図２】
2006296846.tif 000004
【図３】
2006296846.tif 000005
【図４】
2006296846.tif 000006
【図５】
2006296846.tif 000007
【図６】
2006296846.tif 000008